(57)【要約】【課題】取付作業を工具などを使用することなく短時間で簡便に行うことができ、しかも、コンベアローラーのピッチを適宜選択できる取付構造のものとする。【解決手段】コンベア１の側枠２に所定のピッチで以って凹溝４を形成し、コンベアローラー３の両端部に配設される、本実施の形態では、ベアリング６の外輪に固着されるアウターブッシュ７、及びベアリング６の内輪に固着されるインナーブッシュ８を介して凹溝４に当該コンベアローラー３が回転自在になるように配置し、断面略Ｕ字状の保護カバー９で以って、側枠２の上端部に設けられた凹溝４を被包してから保護カバー９の通孔及び側枠２の通孔に止めピン１０を差し込んで半回転させることで当該止めピン１０がこれら保護カバー９及び側枠２を挟持する態様となり保護カバー９の側枠２への係止が完了する。【選択図】図５
2015189537.tif 000002
【特許請求の範囲】
【請求項１】
コンベアの長手方向に所定の間隔で設けられる一対の側枠に前記長手方向に沿って所定のピッチでコンベアローラーが配列される場合の、当該コンベアローラーの前記側枠への取付構造において、前記側枠の上端部に所定のピッチで以って凹溝を形成し、前記コンベアローラーの両端部に配設されるベアリングを介して前記凹溝に前記コンベアローラーが回転自在になるように配置し、断面略Ｕ字状の保護カバーで以って、前記側枠の上端部に設けられた前記凹溝が被包されるように、且つ、前記コンベアローラーが前記凹溝から外れないようにして当該保護カバーを前記側枠にワンタッチで係止してなることを特徴とするコンベアローラーの取付構造。
【請求項２】
前記保護カバーの前記側枠への係止は、これら保護カバー及び側枠に設けられた所定形状の通孔に所定形状の止めピンを差し込んで半回転させることで当該止めピンがこれら保護カバー及び側枠を挟持する態様でなされることを特徴とする請求項１に記載のコンベアローラーの取付構造。
【発明の詳細な説明】
【技術分野】
【０００１】
本発明は、コンベアの長手方向に所定の間隔で設けられる一対の側枠にコンベアローラーを配列する場合の当該コンベアローラーの側枠への取付構造に関するものである。
【背景技術】
【０００２】
コンベアの長手方向に所定の間隔で設けられる一対の側枠にコンベアローラーを配列する場合、コンベアローラーの側枠への取付構造については、従来から図９に示すようなものがある（特許文献１）。
図９（Ａ），９（Ｂ）に示すように、このコンベア１００は、その長手方向に所定の間隔で設けられる一対の側枠１０１にキャリアーローラー（コンベアローラー）１０２が配列されているものであるが、この側枠１０１には、その長手方向に沿ってＴ形溝１０３及び断面形状が半円形状のスペーサー嵌合溝１０４が形成され、これらＴ形溝１０３及びスペーサー嵌合溝１０４には、それぞれローラー軸受１０５（図９（Ｃ））及び丸棒状のスペーサー１０６が嵌合されるようになっている。具体的には、このうちローラー軸受１０５には、図９（Ｃ）に示すように、本体１０５ａと、Ｔ形溝１０３側に向かって突出する嵌合部１０５ｂとが設けられ、本体１０５ａの凹部１０５ａ１にはキャリアーローラー１０２のローラー軸１０２ａが保持されるようになっている。また、この凹部１０５ａ１の裏面側には、上記スペーサー嵌合溝１０４に対向する態様でスペーサー嵌合凹所１０５ａ２が設けられ、このスペーサー嵌合溝１０４に嵌合されるスペーサー１０６に、ローラー軸受１０５がそのスペーサー嵌合凹所１０５ａ２を介して任意のピッチで側枠１０１に取り付けられるようになっている。そして、ローラー軸受１０５の嵌合部１０５ｂには、係合フック１０５ｂ１が設けられており、これによって形成されるねじ孔にねじ１０７をねじ込むことによりローラー軸受１０５を側枠１０１に固定することができるようになっている。
【０００３】
しかしながら、上述したコンベアローラーの側枠への取付構造においては、コンベアローラーを側枠に取り付ける場合、ローラー軸受を介して取り付けなければならないことに加え、側枠へのローラー軸受の取り付けに際しては、ねじ止めして行わなければならないため、手間がかかり簡便な取付構造とは言い難いものになっている。また、ローラー軸受、即ち、コンベアローラーが任意のピッチで側枠に取り付けられると言っても、この取付構造の場合には、例えばスペーサーに所望のピッチでけがき線を施すなどして予め取付位置を明示しておく必要があるため、この点においても手間がかかり面倒で簡便な取付構造とは言い難いものになっている。
【特許文献１】特開平７−２２３７１２
【発明の開示】
【発明が解決しようとする課題】
【０００４】
解決しようとする問題点は、コンベアローラーの側枠への取付構造において、取り付け作業を工具などを使用することなく短時間で簡便に行うことができ、しかも、コンベアローラーのピッチを適宜選択できる取付構造のものとすることである。
【課題を解決するための手段】
【０００５】
本発明の請求項１に係るコンベアローラーの取付構造は、コンベアの長手方向に所定の間隔で設けられる一対の側枠に前記長手方向に沿って所定のピッチでコンベアローラーが配列される場合の、当該コンベアローラーの前記側枠への取付構造において、前記側枠に所定のピッチで以って凹溝を形成し、前記コンベアローラーの両端部に配設されるベアリングを介して前記凹溝に前記コンベアローラーが回転自在になるように配置し、断面略Ｕ字状の保護カバーで以って、前記側枠の上端部に設けられた前記凹溝が被包されるように、且つ、前記コンベアローラーが前記凹溝から外れないようにして当該保護カバーを前記側枠にワンタッチで係止してなるもので、これにより、取付作業を工具などを使用することなく短時間で簡便に行うことができ、しかも、コンベアローラーのピッチを適宜選択できる取付構造のものとすることができる。
ところで、側枠の材質としては、断面略Ｔ字状やＬ字状などをなす鉄やアルミなどの金属製が一般的であるが、場合により樹脂製のものであってもよい。また、保護カバーの材質としては、樹脂やゴムなどが一般的であるが、場合によりアルミなどの非鉄金属製であってもよい。
【０００６】
本発明の請求項２に係るコンベアローラーの取付構造において、前記保護カバーの前記側枠への係止は、これら保護カバー及び側枠に設けられた所定形状の通孔に所定形状の止めピンを差し込んで半回転させることで当該止めピンがこれら保護カバー及び側枠を挟持する態様でなされるもので、止めピンによる保護カバーの側枠への係止についてのより具体的な実施形態の一例である。
【発明の効果】
【０００７】
本発明のコンベアローラーの取付構造は、取付作業を工具などを使用することなく短時間で簡便に行うことができ、しかも、コンベアローラーのピッチを適宜選択できるという利点がある。
【発明を実施するための最良の形態】
【０００８】
本発明の実施形態に係るコンベアローラーの取付構造を図１〜８を参照して説明する。
このコンベアローラーの取付構造は、図１に示すように、概略的には、コンベア１の長手方向に所定の間隔で設けられる一対の側枠２に当該長手方向に沿って所定のピッチでコンベアローラー３が配列される、という点では通常構造のものであるが、本取付構造は、コンベアローラー３の上記側枠への取付作業において、工具などを使用することなく短時間で簡便に行うことができ、しかも、コンベアローラー３のピッチを適宜選択できるという特徴を有するものである。
図２，３は、図１のコンベア１の、任意の隣り合わせに位置するコンベアローラー３が側枠２に取り付けられているときの状態図で、その正面図及び平面図である。後に詳述するように、コンベアローラー３は、当該コンベアローラー３の両端部に配設されるベアリング６を介して側枠２の凹溝４に回転自在に配置される。
尚、図２，３中、符号９，１０は、それぞれ下記詳述の保護カバー及び止めピンである。
【０００９】
本実施の形態において用いられる側枠２は、図４に示すように、縦部材２ａと横部材２ｂとで形成される逆Ｔ字状で所定長さのアルミ製型材で、縦部材２ａの上端部には、その長手方向に所定のピッチＰで以って比較的深めの略Ｕ字状をなす多数の上記凹溝４が設けられている。そして、本実施の形態では、図１〜３に示すように３Ｐの距離を隔てた凹溝４にコンベアローラー３が、後に詳細する図５に示すような態様でその外輪にアウターブッシュ７が固着され、且つ、その内輪にインナーブッシュ８が固着されたベアリング６を介して回転自在に配置されている。したがって、本コンベアローラーの取付構造によれば、コンベア１の用途や仕様に合わせてコンベアローラー３を、１Ｐの間隔で凹溝４に、或いは２Ｐの距離を隔てて凹溝４に、或いはまた、本実施の形態のように３Ｐの距離を隔てて凹溝４になどというように、適宜な間隔を隔てて配置することが可能であり、コンベアローラー３の配置ピッチを適宜に選択できる構造をなしている。
また、側枠２には、その両端近傍に位置する凹溝４に挟まれた凸部５の下方に位置するところに断面略ひょうたん形状（所定形状）をなす通孔５ａがそれぞれ設けられており、この通孔５ａは、後に詳述するように保護カバー９を側枠２に係止させるための止めピン１０のためのものである。
尚、符号１１ａ〜１１ｃ及び符号１２ａ〜１２ｃは、側枠２の一方端に及び／又は両端に別の側枠２を連設させるために用いる連結部材（図示せず）を装着するためのボルトの通孔であり、符号１３ａ〜１３ｃは、一対の側枠２を並設させるために用いる連結部材（図示せず）を装着するためのボルトの通孔である。
【００１０】
ここで、本コンベアローラーの取付構造における、当該コンベアローラー３が凹溝４にベアリング６を介して回転自在に配置される態様を図５を参照して説明する。
基本的には、コンベアローラー３は一対の側枠２に形成された凹溝４に当該コンベアローラー３の両端部に配設されるベアリング６を介して回転自在に配置されるが、本実施の形態では、同図に示すようにベアリング６の外輪に固着されるアウターブッシュ７、及びベアリング６の内輪に固着されるインナーブッシュ８を介して回転自在に配置される（但し、同図では、コンベアローラー３の一方端部側のみを示す）。詳細に説明すれば、アウターブッシュ７は両端に互いに逆向きの鍔７ａ，７ｂが設けられた短寸の中空円筒形状をなす部材であり、このアウターブッシュ７の内面にベアリング６の外輪が、当該アウターブッシュ７の鍔７ａに当接する状態にして圧入される。
一方、インナーブッシュ８は一方端に設けられた扁平な鍔８ａと略中央付近に設けられた径大部８ｂとで形成される断面視略凹溝８ｃを有し、上記径大部８ｂに連設される、当該径大部８ｂより軸方向に長寸な径小部８ｄを有する略段付き円筒形状をなす部材であり、上記ベアリング６の内輪に、当該内輪に対し径大部８ｂの側面が当接する状態にして径小部８ｄが圧入される。このようにしてブッシュ７及びブッシュ８が固着されたベアリング６は、図５に示すような状態で取り付けられる。即ち、ブッシュ７は、コンベアローラー３の端部内壁に、このブッシュ７の鍔７ｂが当該コンベアローラー３の端面に当接する状態にして圧入される一方、ブッシュ８は、当該凹溝８ａの溝底が側枠２の凹溝４に嵌まり込む態様で支持され、これにより、コンベアローラー３がベアリング６を介して回転自在に配置されることになる。
尚、符号９，１０はそれぞれ下記詳述の保護カバー及び止めピンである。
【００１１】
次に、本コンベアローラーの取付構造における、保護カバー９を側枠２に止めピン１０でワンタッチで係止するやり方を図６〜８を参照して説明する。
保護カバー９は、本実施の形態では図６に示すように、短寸の縦部材９ａと、長寸の縦部材９ｂと、これらを連結する極短寸の横部材９ｃとで構成された断面略し字状（略Ｕ字状）をなす、上記側枠２とほぼ同一長の樹脂成形部材である。このうち縦部材９ａには、保護カバー９が側枠２に被包されたとき側枠２の凹溝４に対向する態様になるように凹溝９ａ１が所定のピッチＰをなして多数設けられ（図２参照）、この凹溝９ａ１の溝底は、保護カバー９が側枠２に被包されたとき上記インナーブッシュ８の径大部８ｂの外周面に当接するようになっており（図５参照）、したがって、当該被包に際してその位置決めの役目を果たすと同時に、インナーブッシュ８ひいてはベアリング６が凹溝４から上方に外れるのを防止することになる。また、縦部材９ｂの内面の、上記凹溝９ａ１に向かい合うところには、略逆Ｕ字状に切欠かれた浅底のＵ字溝９ｂ１が所定のピッチＰをなして多数設けられ、更に、縦部材９ｂの、その両端近傍に位置するＵ字溝９ｂ１間の中央位置のところ（この位置は、保護カバー９が側枠２に被包されたとき当該側枠２の通孔５ａと重なり合うところである）に上記側枠２の通孔５ａと同形状の断面略ひょうたん形状（所定形状）をなす通孔９ｂ２がそれぞれ設けられており、この通孔９ｂ２は、後に詳述するように保護カバー９を側枠２に係止させるための止めピン１０のためのものである。そして、上記Ｕ字溝９ｂ１には、保護カバー９が側枠２に被包されたときインナーブッシュ８の鍔８ａが収容されるようになっており（図５参照）、当該被包に際してその位置決めの役目を果たすと同時に、インナーブッシュ８ひいてはベアリング６が凹溝４から上方に外れるのを防止することになる。
【００１２】
また、止めピン１０は、本実施の形態では図７に示すように、扁平な円形状の平板と、この平板の一方端面に固着された当該平板の直径長さに等しい略直方体形状の角材とからなる外観上、釜蓋のような形状の摘み１０ａを有する。更に、止めピン１０は、上記平板の他方端面の中心部に立設された比較的長寸の径大円筒部材と、この円筒部材の端部から当該円筒部材に垂直に、且つ、上記摘み１０ａの角材部に平行に突設された比較的短寸の径小円筒部材１０ｂ１とからなる、正面図視略Ｌ字状をなすとともに、左側面図（Ｃ矢視図）に示す略ひょうたん形状（所定形状）の把持部１０ｂを有する。但し、把持部１０ｂのひょうたん形状は、上述した側枠２の通孔５ａ及び縦部材９ｂの通孔９ｂ２に対してその輪郭が相似形状をなしているが、僅かに縮小されている。
【００１３】
このような保護カバー９及び止めピン１０を用いて、保護カバー９を側枠２に止めピン１０でワンタッチで係止するやり方を図８の模式図を参照して説明する。但し、図８（Ａ）は係止前の状態図であり、図８（Ｂ）は係止後の状態図である。
まず、図８（Ａ）に示すように、側枠２の通孔５ａに保護カバー９の縦部材９ｂの通孔９ｂ２が重なる態様で側枠２に保護カバー９を被包する。このとき、通孔５ａ及び通孔９ｂ２のそれぞれのひょうたん形状が重なる態様となる。また、上述したように、保護カバー９は、その凹溝９ａ１の溝底が上記インナーブッシュ８の径大部８ｂの外周面に当接するようになって、また、そのＵ字溝９ｂ１にインナーブッシュ８の鍔８ａが収容されるようになって、位置決めがなされる。一方、止めピン１０は、その把持部１０ｂの径小円筒部材１０ｂ１を同図のように上方に位置するように、即ち、ひょうたん形状の通孔５ａ及び通孔９ｂ２に差し込める状態で当該止めピン１０の摘み１０ａを把持しておく。
【００１４】
次に、図８（Ｂ）に示すように、止めピン１０を、上記状態を保ちつつ通孔５ａ及び通孔９ｂ２に差し込む。しかる後、この止めピン１０を差し込んで適宜方向に半転させると、止めピン１０の摘み１０ａとこの把持部１０ｂの径小円筒部材１０ｂ１との間に保護カバー９の縦部材９ｂ及び側枠２の縦部材２ａが挟持される態様となる。換言すれば、止めピン１０がこれら保護カバー９及び側枠２を挟持する態様となるので、取付作業を工具などを使用することなく短時間で簡便に行うことができる。加えて、保護カバー９が側枠２を、とりわけ、側枠２の上端部に設けられた凹溝４や凸部５を被包する態様となるので、安全性をも確保できる。
【産業上の利用可能性】
【００１５】
本発明のコンベアローラーの取付構造は、取付作業を工具などを使用することなく短時間で簡便に行うことができ、しかも、コンベアローラーのピッチを適宜選択できるので、従来のこの種の取付構造に取って代わるべく採用価値の高いものと言える。
【図面の簡単な説明】
【００１６】
【図１】本発明の実施の形態に係るコンベアローラーの取付構造の概略図である。
【図２】図１の一部拡大正面図である。
【図３】図１の一部拡大平面図である。
【図４】図１の側枠の詳細図である。
【図５】図２のＡ−Ａ断面図である。
【図６】本実施の形態の保護カバーの詳細図である。
【図７】本実施の形態の止めピンの詳細図である。
【図８】保護カバーの側枠への取付のやり方を示す模式図である。
【図９】従来のコンベアローラーの取付構造の説明図である。
【符号の説明】
【００１７】
１                  コンベア
２                  側枠
３                  コンベアローラー
４                  凹溝
５ａ                通孔
６                  ベアリング
９                  保護カバー
９ｂ２                        通孔 
１０                止めピン
【図１】
2015189537.tif 000003
【図２】
2015189537.tif 000004
【図３】
2015189537.tif 000005
【図４】
2015189537.tif 000006
【図５】
2015189537.tif 000007
【図６】
2015189537.tif 000008
【図７】
2015189537.tif 000009
【図８】
2015189537.tif 000010
【図９】
2015189537.tif 000011